(57)【要約】【課題】アイドリングストップ制御における早期のエンジン再始動を制限して、ドライバの意に反するエンジン再始動を防止して、ドライバに与える違和感をなくすとともに、燃料消費を抑える。【解決手段】アイドリングストップＥＣＵ１１により、ＡＣＣによる先行車両の停車に追従して自車両（アイドリングストップ車１）が停車したときに、エンジン再始動条件が成立したとの判断基準となるアイドリングストップ制御の作動開始からのマスタシリンダのブレーキ液圧の変化量のしきい値が高く切り換えられる。また、アイドリングストップ制御の作動開始時からのマスタシリンダのブレーキ液圧の変化量が、切り換え後の踏み増し再始動しきい値を超えなければ、アイドリングストップＥＣＵ１１により高く切り換えられたしきい値が元に戻される。【選択図】図１
2019173584.tif 000002
【特許請求の範囲】
【請求項１】
所定のエンジン停止条件が成立するとエンジンを停止し、所定のエンジン再始動条件が成立するとエンジンを再始動するアイドリングストップ制御を行うアイドリングストップ制御部と、先行車両との車間距離を一定に保ちつつ定速走行を行う定速走行車間距離制御部とを備え、前記定速走行車間距離制御部の制御により、先行車両の停車に追従して自車両が停車し、その後のブレーキペダルの踏み込みにより前記エンジン停止条件が成立したとして、前記アイドリングストップ制御部により、前記アイドリングストップ制御を作動してエンジンを停止し、前記ブレーキペダルの踏み込みによるマスタシリンダのブレーキ液圧の変化量が設定されたしきい値を超えたときに、前記ブレーキペダルの踏み込みによる前記エンジン再始動条件が成立したとしてエンジンを再始動する車両制御装置において、
前記アイドリングストップ制御部は、
前記定速走行車間距離制御部の制御による先行車両の停車に追従して自車両が停車すると、前記しきい値を高く切り換える切換手段を備え、
前記切換手段による前記しきい値の切り換え後に、前記ブレーキペダルの踏み込みにより前記アイドリングストップ制御が作動した状態において、前記ブレーキペダルの踏み込みによるマスタシリンダのブレーキ液圧の変化量が切り換え後のしきい値を超えれば、前記エンジン再始動条件が成立したとしてエンジンを再始動し、前記変化量が切り換え後のしきい値を超えなければ、高く切り換えた前記しきい値を元に戻す
ことを特徴とする車両制御装置。
【発明の詳細な説明】
【技術分野】
【０００１】
この発明は、所定のエンジン停止条件が成立するとエンジンを停止し、所定のエンジン再始動条件が成立するとエンジンを再始動するアイドリングストップ制御機能、および、先行車両との車間距離を一定に保ちつつ定速走行を行う定速走行車間距離制御機能を備える車両制御装置に関する。
【背景技術】
【０００２】
従来、アイドリングストップ車は、ＩＧ（イグニッション）スイッチオンの操作によりエンジンを始動すると、その後は、ＩＧスイッチオフの操作によりエンジンが停止するまで、アイドリングストップ制御を実行し、所定のエンジン停止条件の成立によりエンジンを自動停止し、所定のエンジン再始動条件の成立によりエンジンを自動的に再始動することを繰り返す。
【０００３】
このようなアイドリングストップ制御機能に加えて、ＣＣＤカメラ等を備える測距手段により先行車両との車間距離を検出し、車間距離を一定に保ちつつ定速走行を行う定速走行車間距離制御（以下、これをＡＣＣ（Ａｄａｐｔｉｖｅ  Ｃｒｕｉｓｅ  Ｃｏｎｔｒｏｌ）という）機能を搭載した車両も提案されている（例えば、特許文献１参照）。
【先行技術文献】
【特許文献】
【０００４】
【特許文献１】特開２００４−１５２５９８号公報（段落００１８−００５４等）
【発明の概要】
【発明が解決しようとする課題】
【０００５】
ところで、アイドリングストップ制御およびＡＣＣ（定速走行車間距離制御）の両機能を備えた車両において、アイドリングストップ制御はアイドリングストップ制御部としてのマイクロコンピュータ構成のアイドリングストップＥＣＵ（ＥＣＵ：Ｅｌｅｃｔｒｏｎｉｃ  Ｃｏｎｔｒｏｌ  Ｕｎｉｔ）が司り、ＡＣＣは定速走行車間距離制御部としてのマイクロコンピュータ構成の所定のＥＣＵが司るよう構成され、これらＥＣＵとその他の各部の制御を司るＥＣＵとの間で、ＣＡＮ（Ｃｏｎｔｒｏｌｌｅｒ  Ａｒｅａ  Ｎｅｔｗｏｒｋ）通信により情報のやり取りが行われる。
【０００６】
この種の車両において、ＡＣＣを司るＥＣＵによるＡＣＣ作動中に、先行車両が停車すると、ＡＣＣを司るＥＣＵによる制御で自動ブレーキがかかり、先行車両の停車に追従して自車両が停車し、ドライバがブレーキペダルを踏むとエンジン停止条件が成立し、アイドリングストップＥＣＵによるアイドリングストップ制御が作動してエンジンが停止状態に制御され、その後に先行車両の発進に伴い、ドライバがブレーキパダルの踏力を緩めてアクセルペダルの踏み込みを開始すると、アイドリングストップ制御におけるエンジン再始動条件の成立によりエンジンが再始動される。
【０００７】
このとき、ドライバがブレーキペダルを踏むことにより、アイドリングストップＥＣＵによるアイドリングストップ制御の作動によりエンジンが停止状態に制御されても、ドライバがさらにブレーキペダルを強く踏み込み、いわゆるブレーキの踏み増しによってアイドリングストップ制御の作動開始時からのマスタシリンダのブレーキ液圧の変化量が所定のしきい値を超えると、エンジン再始動条件が成立したとしてエンジンを再始動し、ドライバがブレーキパダルからアクセルペダルに踏み換えるまでにエンジンを再始動するようにして早期のエンジン再始動を希望するドライバの要求に応えるようにすることも考えられている。
【０００８】
しかし、このようにドライバがブレーキペダルを踏み増ししてマスタシリンダのブレーキ液圧の変化量が所定しきい値を超えたときにエンジンを再始動すると、ドライバが意識せずにブレーキペダルを強く踏み込んだ場合にもエンジンが再始動し、ドライバの意に反したエンジン再始動が開始してしまう。換言すると、ドライバのなかには、ブレーキペダルを強く踏む癖があるドライバがおり、ドライバが癖でブレーキペダルを強く踏み込んでしまって意に反してエンジンが再始動することもある。このように、ドライバの意に反してエンジン再始動を開始すると、ドライバが違和感を覚えると同時に、先行車両が発進していないにも拘らず、ドライバが癖でブレーキペダルを強く踏むことによってエンジンが不必要に再始動すると、アイドルストップ制御による十分な燃料消費の抑制効果が得られないというおそれがある。
【０００９】
この発明は、アイドリングストップ制御における早期のエンジン再始動を制限して、ドライバの意に反するエンジン再始動を防止して、ドライバに与える違和感をなくすとともに、燃料消費を抑えることを目的とする。
【課題を解決するための手段】
【００１０】
上記した目的を達成するために、本発明の車両制御装置は、所定のエンジン停止条件が成立するとエンジンを停止し、所定のエンジン再始動条件が成立するとエンジンを再始動するアイドリングストップ制御を行うアイドリングストップ制御部と、先行車両との車間距離を一定に保ちつつ定速走行を行う定速走行車間距離制御部とを備え、前記定速走行車間距離制御部の制御により、先行車両の停車に追従して自車両が停車し、その後のブレーキペダルの踏み込みにより前記エンジン停止条件が成立したとして、前記アイドリングストップ制御部により、前記アイドリングストップ制御を作動してエンジンを停止し、前記ブレーキペダルの踏み込みによるマスタシリンダのブレーキ液圧の変化量が設定されたしきい値を超えたときに、前記ブレーキペダルの踏み込みによる前記エンジン再始動条件が成立したとしてエンジンを再始動する車両制御装置において、前記アイドリングストップ制御部は、前記定速走行車間距離制御部の制御による先行車両の停車に追従して自車両が停車すると、前記しきい値を高く切り換える切換手段を備え、前記切換手段による前記しきい値の切り換え後に、前記ブレーキペダルの踏み込みにより前記アイドリングストップ制御が作動した状態において、前記ブレーキペダルの踏み込みによるマスタシリンダのブレーキ液圧の変化量が切り換え後のしきい値を超えれば、前記エンジン再始動条件が成立したとしてエンジンを再始動し、前記変化量が切り換え後のしきい値を超えなければ、高く切り換えた前記しきい値を元に戻すことを特徴としている。
【発明の効果】
【００１１】
本発明によれば、切換手段により、定速走行車間距離制御部の制御による先行車両の停車に追従して自車両が停車すると、ドライバがブレーキペダルを踏み込むことによりエンジン再始動条件が成立したとの判断基準となるマスタシリンダのブレーキ液圧の変化量のしきい値が高く切り換えられるため、当該しきい値の切り換え後にブレーキペダルの踏み込みによるマスタシリンダのブレーキ液圧の変化量が切り換え後のしきい値を超えない限り、エンジン再始動条件が成立したとしてエンジンが再始動されることはなく、早期のエンジン再始動が制限されてドライバの意に反するエンジン再始動を防止でき、ドライバに与える違和感をなくすことができる。
【００１２】
また、このような早期のエンジン再始動の制限により、先行車両が発進していないにも拘らず、ドライバが癖により無意識にブレーキペダルを強く踏み込むことに起因してエンジンが不必要に再始動することを未然に防止でき、ドライバの無駄な燃料消費を抑えることができる。さらに、しきい値の切り換え後にブレーキペダルの踏み込みによるマスタシリンダのブレーキ液圧の変化量が切り換え後のしきい値を超えなければ、切り換えられたしきい値は元に戻されるため、ドライバのブレーキペダル踏み方の癖に拘わらず、ドライバの意に反するエンジン再始動を防止できる。
【図面の簡単な説明】
【００１３】
【図１】本発明の車両制御装置の一実施形態のブロック図である。
【図２】図１の動作説明用のフローチャートである。
【発明を実施するための形態】
【００１４】
本発明をより詳細に説明するため、本発明の一実施形態について、図１および図２を参照して詳述する。
【００１５】
図１はアイドリングストップ車１に備えられた車両制御装置のブロック構成を示し、アイドリングストップ車１は、軽量化、小型化等を図るため、電源として１２Ｖの比較的小容量の１個の鉛バッテリ２を備える。このバッテリ２の負極端子はアイドリングストップ車１の車体に接続されている。
【００１６】
図１において、３はアイドリングストップ車１のエンジン、４はエンジン３のトランスミッション側のＣＶＴであり、エンジン３との間にトルクコンバータ（ロックアップクラッチの機構を含む）５が介在する。
【００１７】
６はエンジン３を始動するスタータであり、２個のリレー７ａ，７ｂを介してバッテリ２から給電される。ここで、一方のリレー７ａは、ＩＧスイッチのオンオフ時に後述するエンジンＥＣＵによりオンオフ制御され、他方のリレー７ｂは、アイドリングストップ制御におけるエンジン停止、再始動時に後述するアイドリングストップＥＣＵによりオンオフ制御される。８はバッテリ２の正極端子とリレー７ａ，７ｂとの間にバッテリ２に接近して設けられたバッテリセンサであり、バッテリ２の温度、電流を検出する。９はエンジン３の回転力がベルト１０を介して伝達されるオルタネータであり、走行中等に発電出力でバッテリ２を充電する。
【００１８】
１１はアイドリングストップ制御を司るアイドリングストップ制御部に相当するアイドリングストップＥＣＵ、１２はエンジン制御を司るエンジンＥＣＵ、１３は自動ブレーキ制御による横滑りやスピンを防止するＡＢＳ（ａｎｔｉｌｏｃｋｅｄ  ｂｒａｋｉｎｇ  ｓｙｓｔｅｍ）制御を司るＡＢＳＥＣＵ、１４はＣＶＴ制御を司るＣＶＴＥＣＵ、１５は車両前部に設けられて先行車両を撮影するＣＣＤカメラ（図示せず）を制御しカメラによる撮影画像を処理するカメラＥＣＵであり、各ＥＣＵ１１〜１５はそれぞれマイクロコンピュータ等により形成され、ＣＡＮ等の通信バス１６を介して情報をやり取りする。
【００１９】
ここで、カメラＥＣＵ１５により、ＣＣＤカメラの撮影画像が処理されて先行車両との車間距離や先行車両の相対速度、加速度が導出される。そして、ドライバによるスイッチ操作等によりＡＣＣの実行が選択されたときに、先行車両との車間距離を一定に保ちつつ定速走行を行うべく、エンジンＥＣＵ１２によるエンジンの出力制御、および、ＡＢＳＥＣＵ１３による自動ブレーキ制御が行われ、これらエンジンＥＣＵ１２、ＡＢＳＥＣＵ１３およびカメラＥＣＵ１５により、ＡＣＣ（定速走行車間距離制御）を実行する本発明の定速走行車間距離制御部が構成される。なお、１８はＡＢＳＥＣＵ１３に車速の検出情報を与える車輪速センサ、１９はＡＢＳＥＣＵ１３にブレーキ機構のマスタシリンダのブレーキ液圧の検出情報を与える液圧センサである。
【００２０】
そして、アイドリングストップ車１の概略の制御及び動作を説明すると、ドライバがイグニッション（ＩＧ）スイッチ（図示せず）をオン操作してエンジンスタートを指令することにより、ＩＧスイッチの信号が例えば通信バス１６からアイドリングストップＥＣＵ１１およびエンジンＥＣＵ１２に入力され、この入力に基づいてエンジンＥＣＵ１２はリレー７ｂを瞬時通電してオンし、バッテリ２の電源をスタータ６に給電してスタータ６を始動し、停止していたエンジン３を始動する（初回始動）。エンジン３が始動してオルタネータ９の発電電力でバッテリ２が一旦満充電状態に充電されると、その後は、ＩＧスイッチのオフ操作でエンジン３が停止するまで、アイドリングストップＥＣＵ１１がアイドリングストップ制御を実行する。
【００２１】
アイドリングストップＥＣＵ１１には、通信バス１６を介してエンジンＥＣＵ１２の情報（エンジンの回転数や冷却水温等のエンジンの情報）およびバッテリ２の電流、温度等の情報、ＡＢＳＥＣＵ１３の検出車速、マスタシリンダ圧等の情報、ＣＶＴＥＣＵ１４のロックアップクラッチ情報、図示省略したストップランプスイッチ、カーテシスイッチ等の車内各所のスイッチの情報等が入力される。
【００２２】
そして、これらの情報に基づき、アイドリングストップ制御中のアイドリングストップＥＣＵ１１は、交通信号の赤信号等にしたがってドライバがブレーキペダルを踏み込み、マスタシリンダのブレーキ液圧が所定の踏込圧以上になっていることを検出すると、アイドリングストップ制御のエンジン停止条件（例えば、ストップランプが点灯していて所定車速以下である等の条件）の成立を確認することにより、走行が完全に停止しなくても所定車速以下に低下すれば、エンジンＥＣＵ１２にエンジン停止を指令し、エンジンＥＣＵ１２が燃料スロットルを絞ったりしてエンジン３を自動停止する。
【００２３】
次に、交通信号が青信号に変わる等してドライバがブレーキペダルから足を離し、マスタシリンダ圧が所定の開放圧に低下したことを検出すると、アイドリングストップ車１がアイドリングストップ制御のエンジン再始動条件（例えば、ストップランプが消灯していてドアが閉じている等の条件）の成立を確認することにより、アイドリングストップＥＣＵ１１からの再始動指令に基づきエンジンＥＣＵ１２がリレー７ｂを瞬時通電してオンし、バッテリ２の電源をスタータ６に給電してスタータ６を始動し、停止しているエンジン３を自動的に再始動する。
【００２４】
以降、減速中の所定の停止条件の成立に基づくエンジン３の自動停止と、所定の再始動条件の成立に基づくエンジン３の自動的な再始動とが交互に行なわれる。
【００２５】
ところで、例えば高速道路を走行する際に、ドライバによるスイッチ操作等によりＡＣＣの実行が選択されると、アイドリングストップ車１の加速走行中、定速走行中および減速走行中における先行車両の画像が図示省略のＣＣＤカメラにより撮影され、カメラＥＣＵ１５によりカメラによる撮影画像が処理されて先行車両との車間距離や、該車間距離の時間変化等から先行車両の相対速度、加速度などが導出され、エンジンＥＣＵ１２によるエンジン制御、および、ＡＢＳＥＣＵ１３による自動ブレーキ制御により、自車両が先行車両との車間距離を一定に保ちつつ定速走行するよう、ＡＣＣ（定速走行車間距離制御）が行われる。
【００２６】
そして、ＡＣＣの実行中に、道路の渋滞等により先行車両が停車すると、これに伴いＡＣＣにおける自動ブレーキ制御によって自車両（アイドリングストップ車１）も停車する。その後に、ドライバによりブレーキペダルが踏まれると、アイドリングストップＥＣＵ１１により、自車両の停車によってエンジン停止条件が成立したと判断されてアイドリングストップ制御が作動される。
【００２７】
このとき、先行車両の発進前にエンジンを再始動させることを好むドライバの要求に応じるために、アイドリングストップＥＣＵ１１によるアイドリングストップ制御の作動中にブレーキペダルを強く踏み増しすることにより、アイドリングストップＥＣＵ１１によりエンジン再始動条件が成立したと判断されるようになっており、これにより先行車両の発進前に自車両のエンジン３を早期に再始動することができる。
【００２８】
ところが、ドライバが意識せずにブレーキペダルを強く踏み込んだり、ドライア場の癖でブレーキペダルを無意識に強く踏み込んだりした場合にもエンジンが再始動し、ドライバの意に反したエンジン再始動が開始してしまうことがあり、このようなドライバの意に反したエンジン再始動によるドライバへの違和感を防止するとともに、早期のエンジン再始動による燃料消費を抑制するために、アイドリングストップＥＣＵ１１は、ＡＣＣ（定速走行車間距離制御）による先行車両の停車に追従して自車両（アイドリングストップ車１）が停車したときに、エンジン再始動条件が成立したとの判断基準となるアイドリングストップ制御の作動開始からのマスタシリンダのブレーキ液圧の変化量のしきい値（以下、これを「踏み増し再始動しきい値」ともいう）を初期の設定よりも高く切り換える。このようなアイドリングストップＥＣＵ１１による踏み増し再始動しきい値の切換機能が、本発明における切換手段に相当する。
【００２９】
さらに、アイドリングストップＥＣＵ１１は、アイドリングストップ制御の作動開始からのマスタシリンダのブレーキ液圧の変化量を検知し、検知したブレーキ液圧の変化量が切り換え後の踏み増し再始動しきい値を超えたかどうかを判断し、ブレーキ液圧の変化量が切り換え後の踏み増し再始動しきい値を超えればエンジン再始動条件が成立したとしてエンジンを再始動し、ブレーキ液圧の変化量が切り換え後の踏み増し再始動しきい値を超えなければ、切り換えた踏み増し再始動しきい値を元に戻すようになっている。
【００３０】
次に、上記したアイドリングストップＥＣＵ１１の動作について図２のフローチャートを参照して説明する。
【００３１】
いま、ＡＣＣによる停車中かどうか、つまりＡＣＣの作動中に、先行車両が停車して自動ブレーキ制御によって自車両（アイドリングストップ車１）がブレーキペダルの踏み込みなしの状態で停車しているかどうかの判定がなされ（ステップＳ１）、この判定結果がＮＯであれば動作は終了し、判定結果がＹＥＳであれば、踏み増し再始動しきい値、つまりエンジン再始動条件が成立したとの判断基準となるアイドリングストップ制御の作動開始からのマスタシリンダのブレーキ液圧の変化量のしきい値が初期の設定値よりも高く切り換えられる（ステップＳ２）。
【００３２】
その後、ブレーキペダルのオンを検知するブレーキスイッチの状態に基づき、ドライバによりブレーキペダルが踏まれたかどうかの判定がなされ（ステップＳ３）、この判定結果がＮＯであれば、この判定結果がＹＥＳになるまでステップＳ３の判定が繰り返され、判定結果がＹＥＳになれば、アイドリングストップ制御が作動したか否かの判定がなされ（ステップＳ４）、この判定結果がＮＯであれば、この判定結果がＹＥＳになるまでステップＳ４の判定が繰り返される。
【００３３】
そして、ステップＳ４の判定結果がＹＥＳになれば、アイドリングストップ制御の作動開始からのマスタシリンダのブレーキ液圧の変化量が、ステップＳ２において切り換えらえた後のしきい値を超えたかどうかの判定がなされ（ステップＳ５）、この判定結果がＮＯであれば、ステップＳ２で切り換えされた踏み増し再始動しきい値が元に戻され（ステップＳ＆６）、その後動作は終了する。
【００３４】
一方、ステップＳ５の判定結果がＹＥＳであれば、アイドリングストップ制御におけるエンジン再始動条件が成立したとしてエンジン３が再始動され（ステップＳ７）、その後上記したステップＳ６に移行する。
【００３５】
したがって、本実施形態によれば、ＡＣＣによる先行車両の停車に追従して自車両（アイドリングストップ車１）が停車したときに、踏み増し再始動しきい値が高く切り換えられるため、当該しきい値の切り換え後にブレーキペダルの踏み込みによるマスタシリンダのブレーキ液圧の変化量が切り換え後のしきい値を超えない限り、エンジン再始動条件が成立したとしてエンジン３が再始動されることはなく、早期のエンジン再始動を制限してドライバの意に反するエンジン再始動を確実に防止することができ、ドライバに与える違和感をなくすことが可能になる。
【００３６】
また、先行車両が発進していないにも拘らずドライバの癖などにより無意識にブレーキペダルを強く踏み込むことによるエンジン３の不必要な再始動を未然に防止することができ、ドライバの無駄な燃料消費を抑えることができる。
【００３７】
さらに、アイドリングストップ制御の作動開始からのマスタシリンダのブレーキ液圧の変化量が、切り換え後の踏み増し再始動しきい値を超えなければ、踏み増し再始動しきい値は元に戻されるため、ドライバのブレーキペダル踏み方の癖に拘わらず、ドライバの意に反するエンジン再始動を防止できる。他方、アイドリングストップ制御の作動開始からのマスタシリンダのブレーキ液圧の変化量が、切り換え後の踏み増し再始動しきい値を超えれば、アイドリングストップ制御におけるエンジン再始動条件が成立したとして、先行車両の発進前であってもエンジン３が再始動され、早期にエンジン３を再始動したいというドライバの要求に応じることができる。
【００３８】
なお、本発明は上記した実施形態に限定されるものではなく、その趣旨を逸脱しない限りにおいて上述したもの以外に種々の変更を行なうことが可能である。
【００３９】
例えば、上記した実施形態では、アイドリングストップＥＣＵ１１は、ＡＣＣ（定速走行車間距離制御）による先行車両の停車に追従して自車両（アイドリングストップ車１）が停車したときに、エンジン再始動条件が成立したとの判断基準となるアイドリングストップ制御の作動開始からのマスタシリンダのブレーキ液圧の変化量のしきい値を初期の設定よりも高く切り換えるようにした場合について説明したが、このようにしきい値を切り換えるのに代えて、ＡＣＣによる自車両の停車後、ドライバがブレーキペダルを強く踏み込んでもエンジン再始動しないように、エンジン再始動を禁止する一方、アイドリングストップ制御の作動開始からのマスタシリンダのブレーキ液圧の変化量が所定のしきい値を超えたかどうかを判断し、超えなければエンジン再始動の禁止を解除するようにしてもよい。
【００４０】
そして、本発明は、アイドリングストップ機能および定速走行車間距離制御機能を備える車両の車両制御装置に適用することができる。
【符号の説明】
【００４１】
１    アイドリングストップ車
３    エンジン
１１    アイドリングストップＥＣＵ（アイドリングストップ制御部、切換手段）
１２    エンジンＥＣＵ（定速走行車間距離制御部）
１３    ＡＢＳＥＣＵ（定速走行車間距離制御部）
１５    カメラＥＣＵ（定速走行車間距離制御部）
【図１】
2019173584.tif 000003
【図２】
2019173584.tif 000004